(57)【要約】【課題】衛生的かつ能率的に、生ゴミを直接ポリエチレン小袋に投入できる手段を提供できる。【解決手段】本発明のゴミ受け容器は、袋の開口寸法より広い空間を形成するように、略水平方向に相対して略水平に配置された２つの長尺係止部材と、２つの長尺係止部材から略鉛直方向へ延伸して設けられて２つの長尺係止部材を支持し、弾性変形することにより、２つの長尺係止部材に対して、２つの長尺係止部材の間隔が狭まる方向への相対的な変位と変位に対する弾性反力とを与える支持体を備え、袋の開口部を外側に折り返し、折り返し部分に２つの長尺係止部材を挟み込ませることによって折り返し部分に周方向の張力を発生させ、張力に起因する袋と２つの長尺係止部材との摩擦力で、袋を開いた状態で保持する。【選択図】図１
2005089185.tif 000002
【特許請求の範囲】
【請求項１】
袋の開口部寸法より広い空間を形成するように、略水平方向に対向して略水平に配置された２つの長尺係止部材と、
前記２つの長尺係止部材から略鉛直方向へ延伸して設けられて前記２つの長尺係止部材を支持し、弾性変形することにより、前記２つの長尺係止部材に対して、前記２つの長尺係止部材の間隔が狭まる方向への相対的な変位と前記変位に対する前記２つの長尺係止部材の間隔が広がる方向への弾性反力を与える支持体と
を備え、
前記袋の前記開口部を外側に折り返し、前記２つの長尺係止部材の間隔を狭める方向へ変位させた状態で前記袋の折り返し部分に前記２つの長尺係止部材を挟み込ませることによって、前記弾性反力により前記折り返し部分に周方向の張力を発生させ、前記張力に起因する前記袋と前記２つの長尺係止部材との摩擦力で、前記袋を開いた状態で保持することを特徴とするゴミ受け容器。
【請求項２】
前記支持体は、一方の前記長尺係止部材の一端から下方に延伸し、折り返して他方の前記長尺係止部材の一端に繋がる、弾性を有するＶ字状ないしＵ字状の棒状体であることを特徴とする請求項１記載のゴミ受け容器。
【請求項３】
前記棒状体は、前記長尺係止部材から下方に延伸した下端においてコイル状に成形されることを特徴とする請求項２記載のゴミ受け容器。
【請求項４】
前記２つの長尺係止部材は、前記略水平方向に延伸する水平部分、及び前記水平部分の一端又は両端から下方に延伸した下方延伸部分を有し、
前記支持体は、前記２つの長尺係止部材のそれぞれの前記下方延伸部分の下部から上方に延伸して繋がる、弾性を有する逆Ｖ字状ないし逆Ｕ字状の棒状体であることを特徴とする請求項１記載のゴミ受け容器。
【請求項５】
前記棒状体は、前記下方延伸部分の下部から上方に延伸した上端においてコイル状に成形されることを特徴とする請求項４記載のゴミ受け容器。
【請求項６】
前記支持体は、一方の前記長尺係止部材の両端からそれぞれ延伸し、折り返して他方の前記長尺係止部材の両端にそれぞれ繋がる、弾性を有するＶ字状ないしＵ字状の２つの棒状体であることを特徴とする請求項１記載のゴミ受け容器。
【請求項７】
前記棒状体は、前記長尺係止部材から下方に延伸した下端においてコイル状に成形されることを特徴とする請求項６記載のゴミ受け容器。
【請求項８】
前記２つの長尺係止部材から下方に延伸して設けられた前記支持体を下端で固定する台座をさらに備え、
前記支持体は、前記２つの長尺係止部材から下方にそれぞれ延伸して前記台座に固定された弾性のある棒状体であり、
前記台座は、前記支持体を介して前記２つの長尺係止部材を支持するとともに、当該ゴミ受け容器の全体の位置を支持することを特徴とする請求項１記載のゴミ受け容器。
【請求項９】
一方の前記長尺係止部材ないし前記長尺係止部材の近傍に設けられ、外部の突起部材に掛けられることにより当該ゴミ受け容器の全体の位置及び姿勢を保持する掛け止め部材をさらに備えることを特徴とする請求項１記載のゴミ受け容器。
【請求項１０】
前記長尺係止部材は、長手方向が略水平に設けられ、短手方向が略鉛直に設けられた帯状片であることを特徴とする請求項１記載のゴミ受け容器。
【請求項１１】
前記長尺係止部材は、相対する前記長尺係止部材の方向に向けて湾曲していることを特徴とする請求項１記載のゴミ受け容器。
【請求項１２】
前記台座はレール状突起を有し、前記支持体の下端には前記レール状突起に嵌合する把持部が設けられ、前記把持部はレール状突起の長手方向に滑動可能であり、前記支持体の長さに比べて前記把持部の長さを充分小さく設定することによって、前記把持部に前記長手方向の力が与えられた場合には前記把持部が滑動し、かつ前記長尺係止部材に前記長手方向の力が与えられた場合には前記把持部は滑動しないように構成した請求項８記載のゴミ受け容器。
【発明の詳細な説明】
【技術分野】
【０００１】
この発明はゴミ受け容器に関する。特に本発明は、家庭で発生する生ゴミを収納するための容器の形状に関する。
【背景技術】
【０００２】
スーパーマーケットでは、生ものや冷蔵食品等の食品を買い物袋に入れる前に、一旦、透明で薄いポリエチレンの小袋（以下「ポリエチレン小袋」と称する。）で食品を個々に包むことが行われている。このポリエチレン小袋は、客が自由に必要なだけ使うことができるように包装の現場に備えつけられている。従って、買い物を家に持ち帰り、冷蔵庫等に食品を収納したあとには、このポリエチレン小袋の空き袋が多数残され、家庭内で発生する生ゴミの収納に再活用することができる。このポリエチレン小袋は、その大きさや透明性さらには気密性により、生ゴミの収容には極めて重宝がられている。
【０００３】
従来、家庭で発生する生ゴミを収容する手段としては、シンクに備えられた水切り用生ゴミ受け籠がある。この水切り用生ゴミ受け籠は、料理の材料くずや食べ残り等を、調理や食器洗いの過程でごく自然に、ほとんど特別な手をかけることなく収容できる。ある程度生ゴミが溜まったところで取り出し、ポリエチレン小袋に封じこめた後、より大きなゴミ袋やゴミ容器に蓄え、後に投棄処分される。この水切り用ゴミ受け籠の容量はあまり大きくなく、これがポリエチレン小袋の大きさにほぼ適合している。生ゴミは腐敗が進行し易く臭いを発生するので、大きな器にそのまま溜め込むべきではなく、むしろ少量ごとに気密性のある袋に封じ込めてから大きな器に移すべきである。この目的にポリエチレン小袋が有効に利用される（例えば特許文献１及び特許文献２参照。）。
【特許文献１】特開平４−４１３０２号公報
【特許文献２】特開平１０−５９５０４号公報
【発明の開示】
【発明が解決しようとする課題】
【０００４】
水切り用生ゴミ受け籠を利用する場合、生ゴミを水切り用生ゴミ受け籠から取り出してポリエチレン小袋に移し替える作業が必要となり、これがかなり煩雑で不衛生であり、不潔感を伴う。また、この作業を嫌って長い間生ゴミを溜め込むと汚臭に悩まされる。さらに、水切り用生ゴミ受け籠は頻繁に洗浄しなければカビ等によりぬめりが発生して、不衛生である。また、シンクに備えられた水切り用生ゴミ受け籠に生ゴミを溜め込むと、生ゴミの成分のかなりな部分がシンクでの用水に洗われて溶かされ、水切り用生ゴミ受け籠の目を潜り抜けて排水に流れこむので、環境上問題視されている。
【０００５】
従って、可能なら水きり用生ゴミ受け籠等、中間的な容器を使わずに、生ゴミをその発生の都度、発生場所（まな板、食器等）からポリエチレン小袋に直接落とし込みたいところであるが、ポリエチレン小袋は極めて薄くて柔らかく、ポリエチレン小袋の開口部を開放した状態を保って自立できないため、生ゴミを随時直接に落とし込むことはできない。一方の手でポリエチレン小袋の入り口を支え、他方の手で生ゴミを直接掴んで入れることはできるが、この方法は不衛生で不潔感を伴う。生ゴミを扱うのに箸やフォークを使うこともできなくはないが、いずれにしても一方の手がポリエチレン小袋の入り口を支えることに取られ、生ゴミを扱うために使える手が残された一本だけであるので、なにかと不自由で能率が上がらない。
【０００６】
また、特許文献１及び特許文献２に開示されたゴミ受け容器は、ポリエチレン小袋の開口部を開放した状態で支えることはできるが、ポリエチレン小袋を係止する部分の変形が小さいため、使用可能なポリエチレン小袋の大きさが限定されてしまうという課題がある
。また、ポリエチレン小袋を係止する部分がポリエチレン小袋に損傷を与えやすい形状であり、生ゴミの重みによりポリエチレン小袋が破れてしまうという課題がある。
【０００７】
そこで本発明は、上記の課題を解決することができるゴミ受け容器を提供することを目的とする。この目的は特許請求の範囲における独立項に記載の特徴の組み合わせにより達成される。また従属項は本発明の更なる有利な具体例を規定する。
【課題を解決するための手段】
【０００８】
本発明の形態によると、ゴミ受け容器は、袋の開口部寸法より広い空間を形成するように、略水平方向に対向して略水平に配置された２つの長尺係止部材と、２つの長尺係止部材から略鉛直方向へ延伸して設けられて２つの長尺係止部材を支持し、弾性変形することにより、２つの長尺係止部材に対して、２つの長尺係止部材の間隔が狭まる方向への相対的な変位と変位に対する２つの長尺係止部材の間隔が広がる方向への弾性反力とを与える支持体とを備え、袋の開口部を外側に折り返し、２つの長尺係止部材の間隔を狭める方向へ変位させた状態で袋の折り返し部分に２つの長尺係止部材を挟み込ませることによって
、弾性反力により折り返し部分に周方向の張力を発生させ、張力に起因する袋と２つの長尺係止部材との摩擦力で、袋を開いた状態で保持する。
【０００９】
支持体は、一方の長尺係止部材の一端から下方に延伸し、折り返して他方の長尺係止部材の一端に繋がる、弾性を有するＶ字状ないしＵ字状の針金であってもよい。針金は、長尺係止部材から下方に延伸した下端においてコイル状に成形されてもよい。２つの長尺係止部材は略水平方向に延伸する水平部分、及び水平部分の一端または両端から下方に延伸した下方延伸部分を有し、支持体は、２つの長尺係止部材のそれぞれの下方延伸部分の下部から上方に延伸して繋がる、弾性を有する逆Ｖ字状ないし逆Ｕ字状の針金であってもよい。針金は、下方延伸部分の下部から上方に延伸した上端においてコイル状に成形されてもよい。支持体は、一方の長尺係止部材の両端からそれぞれ延伸し、折り返して他方の長尺係止部材の両端にそれぞれ繋がる、弾性を有するＶ字状ないしＵ字状の２つの針金であってもよい。針金は、長尺係止部材から下方に延伸した下端においてコイル状に成形されてもよい。
【００１０】
２つの長尺係止部材から下方に延伸して設けられた支持体を下端で固定する台座をさらに備え、支持体は、２つの長尺係止部材から下方にそれぞれ延伸して台座に固定された針金その他弾性のある棒状体であり、台座は、支持体を介して２つの長尺係止部材を支持するとともに、当該ゴミ受け容器の全体の位置を支持してもよい。
前記台座はレール状突起を有し、前記支持体の下端には把持部が設けられ、前記把持部が前記レール状突起に嵌合することによって支持体と台座が結合され、かつその結合はレール状突起の長手方向に滑動可能であり、支持体の長さに比べて把持部の長さを充分小さく設定することによって、前記把持部に前記長手方向の力が与えられた場合には前記把持部が滑動し、かつ前記長尺係止部材に前記長手方向の力が与えられた場合には前記把持部は滑動しない。このため前記支持体は、指先で簡単に移動可能でありながら、袋に対しては充分な支持抗力を持つ。
【００１１】
一方の長尺係止部材ないし長尺係止部材の近傍に設けられ、外部の突起部材に掛けられることにより当該ゴミ受け容器の全体の位置及び姿勢を保持する掛け止め部材をさらに備えてもよい。長尺係止部材は、長手方向が略水平に設けられ、短手方向が略鉛直に設けられた帯状片であってもよい。長尺係止部材は、相対する長尺係止部材の方向に向けて湾曲していてもよい。
【００１２】
なお上記の発明の概要は、本発明の必要な特徴の全てを列挙したものではなく、これらの特徴群のサブコンビネーションもまた発明となりうる。
【発明の効果】
【００１３】
本発明によれば、衛生的かつ能率的に、生ゴミを直接ポリエチレン小袋に投入できる手段を提供できる。
【発明を実施するための最良の形態】
【００１４】
以下、発明の実施形態を通じて本発明を説明するが、以下の実施形態は特許請求の範囲に係る発明を限定するものではなく、また実施形態の中で説明されている特長の組み合わせの全てが発明の解決手段に必須であるとは限らない。
【００１５】
図１は、本発明の第１実施形態に係るゴミ受け容器１０の使用状態の一例を示す。また
、図２は第１実施形態に係るゴミ受け容器１０の構成の一例を示す。ゴミ受け容器１０は、略水平方向に対向して略水平に配置された２つの長尺係止部材１０２と、２つの長尺係止部材１０２から略鉛直方向へ延伸して設けられて２つの長尺係止部材１０２を支持する支持体１０４と、一方の長尺係止部材１０２ないし長尺係止部材１０２の近傍に設けられた掛け止め部材１１４とを備える。２つの長尺係止部材１０２は、ポリエチレン小袋等の袋１００の開口部寸法より広い空間を形成するよう配置される。  また、支持体１０４は、全長に亘って弾性変形することにより、２つの長尺係止部材１０２に対して、２つの長尺係止部材１０２の間隔が狭まる方向への相対的な大きい変位と当該変位に対する２つの長尺係止部材１０２の間隔が広がる方向への弾性反力とを与える。これにより、図１に示すように、袋１００の開口部を外側に折り返し、２つの長尺係止部材１０２の間隔を狭める方向へ変位させた状態で袋１００の折り返し部分１０６に２つの長尺係止部材１０２を挟み込ませることによって、弾性反力により折り返し部分１０６に袋１００の開口部に周方向の張力を発生させ、当該張力に起因する袋１００と長尺係止部材１０２との摩擦力で、袋１００を開いた状態で保持する。また、掛け止め部材１１４は、外部の突起部材１１６に掛けられることによりゴミ受け容器１０の全体の位置及び姿勢を保持する。
【００１６】
支持体１０４は、一方の長尺係止部材１０２の両端から下方にそれぞれ延伸し、折り返して他方の長尺係止部材１０２の両端にそれぞれ繋がる、弾性を有するＶ字状ないしＵ字状の２つの針金である。他の例では、支持体１０４は、一方の長尺係止部材１０２の一端から下方にそれぞれ延伸し、折り返して他方の長尺係止部材１０２の一端に繋がる、弾性を有するＶ字状ないしＵ字状の１つの針金であってもよい。針金である支持体１０４は、長尺係止部材１０２から下方に延伸した下端においてコイル１０８状に成形され、２つの長尺係止部材１０２が相対する方向のバネ性を生ずる。即ち、支持体１０４は、２つの長尺係止部材１０２の間隔ｓを底辺とし、延伸部分の長さＬを斜辺とする縦長の二等辺三角形を形成する。長さＬを充分長くとることにより、間隔ｓを狭める方向に外力が加えられた場合に、２つの長尺係止部材１０２は、コイル１０８状の下端にヒンジがあるかのごとく弾性変位するので、略平行に接近し、しかも弾性変位の幅も増大する。つまり、支持体１０４は、２つの長尺係止部材１０２の間を最短距離で結ぶのではなく、所定の距離を迂回することで上述のような機能が得られる。さらに、支持体１０４の下端をコイル１０８状にすることで、迂回の効果を一層高めることができる。
【００１７】
２つの長尺係止部材１０２は、長手方向が略水平に設けられ、短手方向が略鉛直に設けられた帯状片であり、相対する長尺係止部材１０２の方向に向けて湾曲しており、括弧状に配置される。帯状片である長尺係止部材１０２の短手方向の幅ｂは、袋１００の折り返し部分１０６の幅に略対応する幅であることが望ましい。長尺係止部材１０２は、略水平方向において全体が円弧状に湾曲していてもよいし、長尺係止部材１０２の両端が相対する長尺係止部材１０２の方向に向けて湾曲していてもよい。長尺係止部材１０２が帯状片であること、湾曲していることにより、袋１００に損傷を与えることを防ぐことができる。
【００１８】
ここで、長尺係止部材１０２の働きをさらに詳しく説明する。袋１００の開口部を外側に折り返し、折り返し部分１０６に２つの長尺係止部材１０２を挟み込ませる。２つの長尺係止部材１０２の間隔は、袋１００を装着しない自由な状態において、袋１００を装着したときの間隔ｓ１（図１参照）よりやや大きくなるような間隔ｓ（図２参照）に設定されている。２つの長尺係止部材１０２を折り返し部分１０６に挟み込むことにより、２つの長尺係止部材１０２の間隔は、間隔ｓと間隔ｓ１の寸法差だけ圧縮され、当該圧縮による弾性反力が拡張力となって袋１００の折り返し部分１０６に伝わる、そして、２つの長尺係止部材１０２は、袋１００の開口部の折り返し部分１０６を最大限に広げるごとく力を作用させる。２つの長尺係止部材１０２が折り返し部分１０６に作用させる力の大きさは、袋１００の装着時における２つの長尺係止部材１０２の間隔の圧縮の量ｓ−ｓ１と、支持体１０４の材質、長さ、及び太さを選択することにより、必要充分な強度に設定できる。このように、長尺係止部材１０２に被さる折り返し部分１０６には、袋１００の開口部の周方向に沿って、支持体１０４の弾性反力に見合う張力が生じるので、あたかも長尺係止部材１０２に包帯を巻くのと同じような力の原理で強い保持力が発生し、袋１００の支持が確り行われる。
【００１９】
また、長尺係止部材１０２には、強度上の理由から金属の板を用い、プレス加工により作られてもよい。長尺係止部材１０２の長さをｃとすれば、袋１００の開口部の周囲の長さは略２ｃ＋２ｓ１である。したがって、袋１００の開口面積をできるだけ大きくするためには、長尺係止部材１０２の長さｃと間隔ｓ１との釣り合いが重要であり、この観点から最適な長さｃが決定される。また、支持体１０４により発生される弾性反力は、強ければ強いだけ保持力が高められる原理ではあるが、過大になるともともと強度が不足しているポリエチレン小袋等の袋１００の折り返し部分１０６が破断するおそれがある。袋１００の折り返し部分１０６の幅が、長尺係止部材１０２である帯状片の幅ｂに見合う充分な大きさであれば、幅ｂが包帯の例えた場合の包帯の幅に相当するから、幅ｂに比例して高い保持力を可能にする。つまり、強度が不足しているポリエチレン小袋等の袋１００に対して強い保持力を与えるためには、幅ｂを広くする必要がある。
【００２０】
また、長尺係止部材１０２は、略鉛直方向の断面に変化がないことが望ましい。即ち、長尺係止部材１０２の略鉛直方向の幅ｂの間で、袋１００の折り返し部分１０６に一様に接触することが望ましい。また理論上、袋１００の保持力は、長尺係止部材１０２と折り返し部分１０６との間の面圧に起因する摩擦力に依存する。長尺係止部材１０２と折り返し部分１０６との間の面圧は、基本的には折り返し部分１０６の周方向の張力と長尺係止部材１０２の曲率との積に比例する。したがって、長尺係止部材１０２の表面に、でこぼこ、突起、又は急な角度の変化があると、そこに接触する折り返し部分１０６の局所に応力が集中し、袋１００が破れやすくなるが、長尺係止部材１０２の湾曲させることにより、長さｃの区間での応力の集中を和らげることができる。また同様に、長尺係止部材１０２の上縁１１０や側縁１１２は、応力が集中しやすいので、曲げ加工やバリ取り加工の併用により、外面が充分滑らかになるよう仕上げられることが望ましい。また、袋１００の保持力を一層高めるため、長尺係止部材１０２の外面は、金属面ではなく、摩擦係数が高まるような材料であっても、摩擦係数が高まるように表面処理が施されても良い。
【００２１】
図３は、第１実施形態に係る掛け止め部材１１４周辺の構造の一例を示す。掛け止め部材１１４は、例えば針金が鉤状に成形され、一端１１８が長尺係止部材１０２の内側に溶接され、他端１２０が外部の突起部材１１６に掛けられる。突起部材１１６は、例えば受け板１２２の上下２箇所にフック状に成形され、突起部材１１６の選択によりゴミ受け容器１０を取り付ける高さを調整できる。受け板１２２は、例えば取り付け穴１２４を用いて壁に木ねじ等で固定される。なお、ゴミ受け容器１０の位置及び姿勢を保持する手段は
、既知の様々な手段を採用可能である。
【００２２】
図４及び図５は、第１実施形態に係るゴミ受け容器１０の取り付け方法の他の例を示す
。図４に示すように、台座１２６に受け板１２２を直立させて固定するスタンド形式であってもよい。また、図５に示すように、受け板１２２が流し台１２８の上面とシンク１３０の内面との角に沿うように略直角に曲げられて形成されても良い。受け板１２２は、流し台１２８の上面に取り付け穴１３２を介して吸盤１３４で固定される。そして、受け板１２２のシンク１３０の内部に挿入された部分に設けられた突起部材１１６にゴミ受け容器１０が掛けられる。
【００２３】
以上で説明したように、長尺係止部材１０２に袋１００を取り付ける作業は、特別な道具を必要とせず、極めて簡単である。袋１００が一杯になったときには、内容物を入れたままの状態で袋１００全体を保持力に抗して下方に引き落として外し、新しい空の袋１００と差し替えればよく、すべての操作は手を汚すことなく容易に行うことができる。仮に折り返し部分１０６の張力が強すぎ、袋１００を引き落とすことが困難なときには、長尺係止部材１０２直下の支持体１０４部分に手を掛けて狭めることで、張力が緩んで容易に取り外すことができる。
【００２４】
また、袋１００は開口部が上方に向かって開放された状態で確り支えられているから、生ゴミ類の投入が容易である。例えば、皿に残された食べ残りを捨てる場合、一方の手で皿を持ち、他方の手でフォーク等を持ち、食べ残りを袋１００に掻き落とすことがある。このような場合に、手が直接生ゴミに触れることがないから、極めて清潔で衛生的である
。また、袋１００に溜まった生ゴミは、他に移し替えることなく、そのまま投棄処分できるから、極めて能率的で衛生的である。また、袋１００のサイズは、提供されるスーパーマーケットによって多少のばらつきがあるが、ゴミ受け容器１０によれば、支持体１０４の弾性限度内での２つの長尺係止部材１０２の間隔の変化量が大きいので、様々なサイズの袋１００に柔軟に対応できる。また、ゴミ受け容器１０を使用することで、シンクに備えられた水切り用生ゴミ受け籠を使用する必要がないので、シンクからの排水を必要以上に汚さない。さらに、ポリエチレン小袋等の袋１００を再利用することで、環境衛生上の効果も顕著である。
【００２５】
図６及び図７は、本発明の第２実施形態に係るゴミ受け容器２０の構成の一例を示す。ゴミ受け容器２０は、２つの長尺係止部材２０２、支持体２０４、及び台座２０６を備える。図６に示す長尺係止部材２０２は、第１実施形態の長尺係止部材１０２と略同一の構造及び機能を有する帯状片である。一方、図７に示す長尺係止部材２０２は、支持体２０４を延長して形成した棒状体である。図７に示す長尺係止部材２０２は、略水平方向に延伸する長さｃ’の水平部分、及び水平部分の一端又は両端から下方に延伸した長さｂ’の下方延伸部分を有し、第１実施形態の長尺係止部材１０２と同一の機能を有する。図７に示す長尺係止部材２０２は、構造が簡単であるため製造コストが安く、第１実施形態の長尺係止部材１０２と同様に実用可能である。なお、第２実施形態の長尺係止部材２０２及び支持体２０４は、以下に説明する部分を除き、第１実施形態の長尺係止部材１０２及び支持体１０４と同一の構造及び機能を有する。
【００２６】
支持体２０４は、２つの長尺係止部材２０２から下方にそれぞれ延伸して台座２０６に固定された、弾性を有する針金である。台座２０６は、２つの長尺係止部材２０２から下方に延伸して設けられた支持体２０４を下端で固定し、支持体２０４を介して２つの長尺係止部材２０２を支持するとともに、ゴミ受け容器２０全体の位置を支持する。台座２０６は、例えば略矩形の金属板であり、略平行する２辺の端面付近を折り曲げて細い管状部分２０８を形成する。そして、２つの針金である支持体２０４の下端をそれぞれ略直角に折り曲げ、それぞれ台座２０６の管状部分２０８に差し込むことで、支持体２０４お台座２０６とが組み立てられる。台座２０６及び支持体２０４は、全体としてＵ字形に成型されても良い。第２実施形態のゴミ受け容器２０は、基本的には第１実施形態のゴミ受け容器１０と同様の効果を有する。さらに、ゴミ受け容器２０は、台座２０６によりゴミ受け容器２０を支持するので、掛け止め部材は不要であり、また任意の場所に設置可能である
。
【００２７】
図８及び図９は、本発明の第３実施形態に係るゴミ受け容器３０の構成の一例を示す。ゴミ受け容器３０は、２つの長尺係止部材３０２及び支持体３０４を備える。図８に示す長尺係止部材３０２は、第１実施形態の長尺係止部材１０２と略同一の構造及び機能を有する帯状片である。一方、図９に示す長尺係止部材３０２は、第２実施形態の図７に示した長尺係止部材２０２と略同一の構造及び機能を有する棒状体であり、構造が簡単であるため製造コストが安く、第１実施形態の長尺係止部材１０２と同様に実用可能である。なお、第３実施形態の長尺係止部材３０２及び支持体３０４は、以下に説明する部分を除き
、第１実施形態の長尺係止部材１０２及び支持体１０４、又は第２実施形態の長尺係止部材２０２及び支持体２０４と同一の構造及び機能を有する。
【００２８】
支持体３０４は、２つの長尺係止部材３０２のそれぞれの下方延伸部分の下部から上方に延伸して繋がる、弾性を有する逆Ｖ字状ないし逆Ｕ字状の針金である。針金である支持体３０４は、長尺係止部材３０２から下方に延伸してから折り返されて上方に延伸した上端においてコイル３０８状に成形される。支持体３０４のコイル３０８状に成形された部分は、長尺係止部材３０２に対して、２つの長尺係止部材３０２の間隔が狭まる方向への相対的な変位と当該変位に対する弾性反力とを与えるとともに、掛け止め部材として機能し、外部の突起部材３１６に掛けられることによりゴミ受け容器３０の全体の位置及び姿勢を保持する。第３実施形態のゴミ受け容器３０は、基本的には第１実施形態のゴミ受け容器１０と同様の効果を有する。また、支持体３０４が長尺係止部材３０２の下部から上方に延伸することにより、長尺係止部材３０２を袋１００に挟み込み易く、確りと袋１００を保持できる。さらに、ゴミ受け容器３０は、構造が簡単で製作が容易である。
【００２９】
図１０は、本発明の第４実施形態に係るゴミ受け容器４０の構成の一例を示す。ゴミ受け容器４０は、２つの長尺係止部材４０２、支持体４０４、及び台座４０６を備える。図１０に示す長尺係止部材４０２は、第１実施形態の長尺係止部材１０２と略同一の構造及び機能を有する帯状片である。
【００３０】
支持体４０４は、２つの長尺係止部材４０２の一端から下方に延伸して台座４０６に固定される、弾性を有する棒状体である。台座４０６は、２つの長尺係止部材４０２から下方に延伸して設けられた支持体４０４を下端で固定し、支持体４０４を介して２つの長尺係止部材４０２を支持するとともに、ゴミ受け容器４０全体の位置を支持する。本実施形態では長尺係止部材４０２及び支持体４０４はプラスチック材料にて一体でモールド成型される。台座４０６は、安定を良くするため水平に広がりを持った板であり、全体がプラスチックによりモールド成型で作られる。
【００３１】
支持体４０４と台座４０６との結合は、半固定式になっている。即ち、台座４０６上には、長尺係止部材４０２に直交する方向にレール状突起４０８が設けられており、一方、支持体４０４の下端には把持部４１０が設けられている。把持部４１０がレール状突起４０８に確り嵌合することによって支持体４０４と台座４０６は結合される。嵌合は弱い締まり嵌めに設定されており、したがって、嵌合部の位置はレール上を移動可能であり、２つの長尺係止部材４０２の相互の間隔を自由に変えることができる。しかも、外力が直接把持部４１０の位置に与えられる場合は移動に必要とする力は小さく、移動は容易である。しかし、ポリエチレン小袋から長尺係止部材４０２の位置に加わる外力に対しては充分な抵抗力を示す。図１１によりその原理を説明する。ポリエチレン小袋から長尺係止部材４０２に加わる圧迫力をＰ、支持体４０４の長さをＬとすれば、支持体４０４には
Ｔ＝Ｐ・Ｌ
なる反時計方向の偶力が生じる。把持構造部分の長さｔを支持体の長さＬのｎ分の１とすれば、把持部には
Ｔ＝Ｗ・ｔ
なる偶力が反力として時計方向に発生する筈である。したがって
Ｗ＝Ｐ・Ｌ／ｔ＝Ｐ・ｎ
即ち、把持部４１０は、レール状突起の上面a1及び下面a2の２箇所でＰのｎ倍に相当する圧力を受ける。これらに起因して発生する摩擦力は、２つの支持体４０４の相互間隔が狭まる方向に移動させようとする水平方向の外力Ｐを優に凌ぐ大きな抵抗力として作用する。前式によれば、外力が増大すればそれに比例して抵抗力も増大する原理であるから、把持部４１０の固定状態は確り保たれる。つまり、支持体４０４は、把持部４１０を指先で摘むことによって簡単に移動可能であるが、ポリエチレン小袋から受ける外力に対しては充分な抗力を示す。以上により、台座４０６に対する支持体４０４の結合は半固定式であり、支持体４０４の相互の間隔が随時調整できるから、ポリエチレン小袋のサイズの大きな変化にも柔軟に対応できる。
なお、実施形態４では、レール状突起の断面は図１０に示すようにブロック型となっているが、レール状突起の断面形状は本発明の技術的範囲を特定するものではなく、ほかにも任意の角型、円、円弧、およびそれらと角型の組み合わせ、さらには旋盤のベッド状のものなど、各種のもので前記の半固定式結合が実現可能である。
【００３２】
半固定式の前記結合部は、ポリエチレン小袋１００を長尺係止部材４０２に初めにセットする際にその作業を容易にする効果もある。ポリエチレン小袋１００を長尺係止部材４０２に初めにセットするには、２つの長尺係止部材の間隔で構成する略４角形の空間にポリエチレン小袋１００の開口部をはめ込む必要があるが、前記間隔が、ポリエチレン小袋に適した間隔より大き過ぎる場合は、支持体４０４に強いバネ反力が発生し、それ抗してポリエチレン小袋１００を能率的にセットすることがやや難しくなる。したがって前記結合部の機能を利用して、予め前記間隔が小さめになるように２つの把持部を互いに接近移動させておき、そこでポリエチレン小袋１００を仮セットする。仮セットは明らかに容易である。仮セットしたあと、前記把持部を手で摘んで、元の位置まで広げるように移動させれば、ポリエチレン小袋１００の開口部に張力が復活して保持力が高まり、袋は安定し、初期セットは完了する。
【００３３】
第４実施形態のゴミ受け容器４０は、基本的には第１実施形態のゴミ受け容器１０と同様の効果を有する。さらに、ゴミ受け容器４０は、台座４０６によりゴミ受け容器４０を支持するので、掛け止め部材は不要であり、また任意の場所に設置可能である。さらに、ゴミ受け容器４０は、支持体４０４の固定位置を反固定式に随時調整できるから、ポリエチレン小袋１００のサイズのより大きな変化にも柔軟に対応できる。また、前記固定位置の調整機能を活用すれば、ポリエチレン小袋１００の初期セットを極めて容易になし得る。
【００３４】
以上、実施形態を用いて本発明を説明したが、本発明の技術的範囲は上記実施形態に記載の範囲には限定されない。上記実施形態に、多様な変更又は改良を加えることができる
。そのような変更又は改良を加えた形態も本発明の技術的範囲に含まれ得ることが、特許請求の範囲の記載から明らかである。
【図面の簡単な説明】
【００３５】
【図１】第１実施形態に係るゴミ受け容器１０の使用状態の一例を示す図である。
【図２】第１実施形態に係るゴミ受け容器１０の構成の一例を示す図である。
【図３】第１実施形態に係る掛け止め部材１１４周辺の構造の一例を示す図である。
【図４】第１実施形態に係るゴミ受け容器１０の取り付け方法を示す図である。
【図５】第１実施形態に係るゴミ受け容器１０の取り付け方法を示す図である。
【図６】第２実施形態に係るゴミ受け容器２０の構成の一例を示す図である。
【図７】第２実施形態に係るゴミ受け容器２０の構成の一例を示す図である。
【図８】第３実施形態に係るゴミ受け容器３０の構成の一例を示す図である。
【図９】第３実施形態に係るゴミ受け容器３０の構成の一例を示す図である。
【図１０】第４実施形態に係るゴミ受け容器４０の構成の一例を示す図である。
【図１１】第４実施形態に係る把持部４１０の動作原理を示す図である。
【符号の説明】
【００３６】
１０    ゴミ受け容器
２０    ゴミ受け容器
３０    ゴミ受け容器
４０    ゴミ受け容器
１００  袋
１０２  長尺係止部材
１０４  支持体
１０６  折り返し部分
１０８  コイル
１１０  長尺係止部材の上縁
１１２  長尺係止部材の側縁
１１４  掛け止め部材
１１６  突起部材
１１８  掛け止め部材の一端
１２０  掛け止め部材の他端
１２２  受け板
１２４  取り付け穴
１２６  台座
１２８  流し台
１３０  シンク
１３２  取り付け穴
１３４  吸盤
２０２  長尺係止部材
２０４  支持体
２０６  台座
２０８  管状部分
３０２  長尺係止部材
３０４  支持体
３０８  コイル
３１６  突起部材
４０２  長尺係止部材
４０４  支持体
４０６  台座
４０８  レール状突起
４１０  把持部
【図１】
2005089185.tif 000003
【図２】
2005089185.tif 000004
【図３】
2005089185.tif 000005
【図４】
2005089185.tif 000006
【図５】
2005089185.tif 000007
【図６】
2005089185.tif 000008
【図７】
2005089185.tif 000009
【図８】
2005089185.tif 000010
【図９】
2005089185.tif 000011
【図１０】
2005089185.tif 000012
【図１１】
2005089185.tif 000013